(57)【特許請求の範囲】
【請求項１】
通信回線を介して映像機器で表示されている番組の関連情報を情報端末に配信する番組関連情報配信方法であって、
前記映像機器から当該映像機器の機器ＩＤと前記情報端末の利用者であるサービス受給者を特定するサービス受給者特定情報とを取得して、前記機器ＩＤと前記サービス受給者特定情報とを紐付するステップと、
前記映像機器のチャネルの切替タイミング若しくは所定時間毎のタイミングで前記映像機器で表示しているチャネル情報を収集するステップと、
前記チャネル情報から視聴番組のメタ情報を入手するステップと、
配信対象のコンテンツとこのコンテンツに対応するコンテンツ対応キーワードとを入手するステップと、
前記メタ情報に前記コンテンツ対応キーワードが含まれるか否かを判定するステップと、
前記メタ情報に前記コンテンツ対応キーワードが含まれる場合、当該コンテンツ対応キーワードに対応した前記配信対象コンテンツを前記サービス受給者特定情報に関連した前記情報端末に出力するステップとを備えることを特徴とする番組関連情報配信方法。
【請求項２】
前記サービス受給者特定情報は、前記情報端末のメールアドレスである請求項１記載の番組関連情報配信方法。
【請求項３】
前記コンテンツ対応キーワードの関連キーワードを生成し、該関連キーワードを前記コンテンツ対応キーワードとして用いたことを特徴とする請求項１記載の番組関連情報配信方法。
【請求項４】
通信回線を介して映像機器で表示されている番組の関連情報を情報端末に配信する番組関連情報配信方法であって、
前記映像機器から当該映像機器の機器ＩＤと前記情報端末の利用者であるサービス受給者を特定するサービス受給者特定情報と前記映像機器の設置地域に関する情報を取得すると共に、前記機器ＩＤ、前記サービス受給者特定情報、及び前記設置地域を紐付けするステップと、
前記映像機器のチャネルの切替タイミング若しくは所定時間毎のタイミングで前記映像機器で表示しているチャネル情報を収集するステップと、
前記チャネル情報から視聴番組のメタ情報を入手するステップと、
配信対象のコンテンツとこのコンテンツに対応するコンテンツ対応キーワードと番組関連情報配信地域とを入手するステップと、
前記メタ情報に前記コンテンツ対応キーワードが含まれるか否かを判定するステップと、
前記メタ情報に前記コンテンツ対応キーワードが含まれ、かつ、前記設置地域が前記番組関連情報配信地域に含まれる場合、当該コンテンツ対応キーワードに対応した前記配信対象コンテンツを前記サービス受給者特定情報に関連した前記情報端末に出力するステップとを備えることを特徴とする番組関連情報配信方法。
【請求項５】
通信回線を介して映像機器で表示されている番組の関連情報を情報端末に配信する番組関連情報配信における、前記映像機器と前記情報端末との紐付け、及び前記映像機器で表示されている番組と前記番組関連情報との紐付けを行う紐付け方法であって、
前記映像機器の機器ＩＤと前記情報端末の利用者であるサービス受給者を特定するサービス受給者特定情報とを取得して、前記機器ＩＤと前記サービス受給者特定情報とを紐付するステップと、
前記映像機器のチャネルの切替タイミング若しくは所定時間毎のタイミングで前記映像機器で表示しているチャネル情報を収集するステップと、
前記チャネル情報から視聴番組のメタ情報を入手するステップと、
配信対象のコンテンツに関連したコンテンツ対応キーワードを入手するステップと、
前記メタ情報に前記コンテンツ対応キーワードが含まれるか否かを判定するステップと、
前記メタ情報に前記コンテンツ対応キーワードが含まれる場合、当該コンテンツ対応キーワード、及び紐付けられた前記サービス受給者特定情報を出力するステップとを備えることを特徴とする紐付け方法。
【発明の詳細な説明】
【技術分野】
【０００１】
本発明は、番組関連情報配信方法に関する。  
【背景技術】
【０００２】
近年、テレビで放送番組を視聴しながら手元のスマートフォン等のモバイル端末にテレビ放送番組に関連するコンテンツを提供する、いわゆる、セカンドスクリーン技術が開始されつつある。
【０００３】
たとえば特許文献１には、ユーザが所持するモバイル端末と、該モバイル端末と紐付するテレビ等の機器と、インターネットのネットワーク上に設けたサーバとを備え、テレビ等の機器の識別情報、機器が設置してある住所情報、該住所情報に基づく位置情報の情報とをサーバに保持し、携帯電話の位置情報検出部によって検出した位置情報をサーバに送出し、該サーバに登録してある機器のうち、位置情報が一致する機器を候補機器として特定することで紐付けを容易に行うシステムおよび方法が開示されている。
【０００４】
また特許文献２に開示された技術では、ユーザがＴＶ番組を切り替えるとＴＶからサーバに番組更新情報が送信される。サーバでは、番組に関連する番組関連情報を生成しておき、番組更新情報から番組関連情報を抽出する。ユーザは保有する携帯端末で、アプリケーションを起動し、その番組関連情報を閲覧する。
【先行技術文献】
【特許文献】
【０００５】
【特許文献１】特開２０１２−８０４８２号公報
【特許文献２】特開２０１４−２３６２５７号公報
【発明の概要】
【発明が解決しようとする課題】
【０００６】
しかしながら、特許文献１に記載の技術では、住所情報を位置情報に変換しているので、集合住宅やオフィスビルでは同一の住所情報に多数の機器が登録されている可能性がある。そのような場合には他の家庭やオフィスの機器が紐付け候補として表示され、ユーザが紐付すべき機器を選択する過程で複数の操作が必要となるという問題がある。
【０００７】
特許文献２に記載の技術では、番組視聴中に特定のアプリを起動していなければ番組関連情報を得ることができない。また、現在視聴中の番組のみに関する番組関連情報を得ることができ、視聴していない番組に関する番組関連情報は得ることはできない。そのため、番組関連情報を得たいユーザは、番組を視聴しながら情報端末を常に気にしなければならず、さらに番組を視聴しながら情報端末を操作することが必要であった。
【０００８】
本発明は、このような事情に鑑みてなされたものであって、映像機器と情報端末との紐付けを確実に実行することができ、映像機器の視聴中において操作を行わなくても番組関連情報を得ることのできる番組関連情報配信方法を提供することを目的とする。
【課題を解決するための手段】
【０００９】
本発明の一態様は、通信回線を介して映像機器で表示されている番組の関連情報を情報端末に配信する番組関連情報配信方法であって、前記映像機器から当該映像機器の機器ＩＤと前記情報端末の利用者であるサービス受給者を特定するサービス受給者特定情報とを取得して、前記機器ＩＤと前記サービス受給者特定情報とを紐付するステップと、前記映像機器のチャネルの切替タイミング若しくは所定時間毎のタイミングで前記映像機器で表示しているチャネル情報を収集するステップと、前記チャネル情報から視聴番組のメタ情報を入手するステップと、配信対象のコンテンツとこのコンテンツに対応するコンテンツ対応キーワードとを入手するステップと、前記メタ情報に前記コンテンツ対応キーワードが含まれるか否かを判定するステップと、前記メタ情報に前記コンテンツ対応キーワードが含まれる場合、当該コンテンツ対応キーワードに対応した前記配信対象コンテンツを前記サービス受給者特定情報に関連した前記情報端末に出力するステップとを備える番組関連情報配信方法である。
【図面の簡単な説明】
【００１０】
【図１】第１の実施の形態の番組関連情報配信方法が適用される機器及び端末の連携システムの構成を示す図である。
【図２】第１の実施の形態の番組関連情報配信方法における映像機器ファイルの内容を示す図である。
【図３】第１の実施の形態の番組関連情報配信方法における視聴履歴ファイルの内容を示す図である。
【図４】第１の実施の形態の番組関連情報配信方法における紐付ファイルの内容を示す図である。
【図５】（１）は第１の実施の形態の番組関連情報配信方法におけるメタ情報ファイル、（２）はコンテンツ対応キーワードファイルの内容を示す図である。
【図６】第１の実施の形態の番組関連情報配信方法におけるコンテンツファイルの内容を示す図である。
【図７】第１の実施の形態の番組関連情報配信方法における登録会員情報ファイルの内容を示す図である。
【図８】第１の実施の形態の番組関連情報配信方法に係る紐付け登録動作における映像機器及び情報特定サーバの処理手順を示すフロー図である。
【図９】第１の実施の形態の番組関連情報配信方法に係る情報収集動作における映像機器の処理手順を示すフロー図である。
【図１０】第１の実施の形態の番組関連情報配信方法に係る情報収集動作におけるコンテンツ配信サーバと情報特定サーバの処理手順を示すフロー図である。
【図１１】第１の実施の形態の番組関連情報配信方法に係るコンテンツ配信動作における映像機器と情報特定サーバとの処理手順を示すフロー図である。
【図１２】第１の実施の形態の番組関連情報配信方法に係るコンテンツ配信動作におけるメタ情報部の処理手順を示すフロー図である。
【図１３】第１の実施の形態の番組関連情報配信方法に係るコンテンツ配信動作におけるコンテンツ配信サーバの処理手順を示すフロー図である。
【図１４】（１）は第２の実施の形態の番組関連情報配信方法におけるコンテンツファイルの内容を示す図、（２）はコンテンツ対応キーワードファイルの内容を示す図である。
【図１５】第２の実施の形態の番組関連情報配信方法における情報特定サーバとコンテンツ配信サーバの処理手順を示すフロー図である。
【図１６】第２の実施の形態の番組関連情報配信方法に係るコンテンツ配信動作におけるメタ情報部の処理手順を示すフロー図である。
【図１７】第３の実施の形態の番組関連情報配信方法における登録会員情報ファイルの内容を示す図である。
【図１８】第３の実施の形態の番組関連情報配信方法における情報端末とコンテンツ配信サーバの処理手順を示すフロー図である。
【発明を実施するための形態】
【００１１】
以下、本発明の実施形態に係る番組関連情報配信方法について図面を参照して詳細に説明する。
【００１２】
[第１の実施の形態]  
図１は、第１の実施の形態の番組関連情報配信方法が適用される機器及び端末の連携システムの構成を示す図である。なお、本実施の形態においては、ＴＶ番組関連情報配信サービスに適用した例を挙げて以下説明を行う。
【００１３】
機器及び端末の連携システムは、ネットワークなどの通信回線８０に接続される映像機器１０、情報端末２０、情報特定サーバ３０、コンテンツ配信サーバ４０、設定端末５０、メタ情報生成サーバ６０及び会員サーバ７０を備えている。なお、図１では説明の簡略のために、映像機器１０、情報端末２０をそれぞれ一台を備えた構成を記載しているが、実際の機器及び端末の連携システムでは、通信回線８０には、これらの装置は、適宜、複数台接続される。
【００１４】
映像機器１０は、ＴＶ番組等のコンテンツ（コマーシャルを含む）を受信でき、かつデータ放送やＨＴＭＬコンテンツをも受信し表示することのできる機能を備えた装置であり、例えば、デジタルテレビ、ＰＣ（パーソナルコンピュータ）、カーナビ、映像レコーダなどが該当する。映像機器１０は、表示したチャネルについての履歴情報を収集して情報特定サーバ３０に送信する。
【００１５】
情報端末２０は、映像機器１０が表示するＴＶ番組に関連した情報をコンテンツ配信サーバ４０より取得して表示することのできる機能を備えた装置であり、例えば、スマートフォン、タブレット端末、モバイルＰＣなどが該当する。情報端末２０は、ＴＶ番組関連情報の配信を受けたいユーザが所有する。
【００１６】
情報特定サーバ３０は、映像機器１０と情報端末２０とを紐付け（対応付け）するとともに、映像機器１０で表示したチャネルについての操作履歴情報を映像機器１０から取得する。また、情報特定サーバ３０は、メタ情報生成サーバ６０よりＴＶ番組で放送された内容に関連する情報（「メタ情報」という）を取得する。
【００１７】
コンテンツ配信サーバ４０は、情報端末２０に提供するコンテンツを保存すると共に、情報特定サーバ３０によって特定されたＴＶ番組関連情報に関連し、サービス提供者が映像機器１０及び情報端末２０のユーザに提供を希望するコンテンツを情報端末２０に対して提供する。設定端末５０は、コンテンツ配信サーバ４０に対してコンテンツを保存するなどの設定操作を行うための入出力端末である。会員サーバ７０は、ＴＶ番組関連情報サービスのユーザを登録するためのものである。
【００１８】
通信回線８０は、映像機器１０、情報端末２０、情報特定サーバ３０、コンテンツ配信サーバ４０及びメタ情報生成サーバ６０との間で情報の送受信に用いられる経路のことで、導電線、光ファイバなどの有線を用いた通信に限られず、光、音波、電波などを用いた無線通信も含まれる。
【００１９】
映像機器１０は、処理部１１、送受信部１２、及び映像機器ファイル１０ａを備えている。処理部１１は、映像機器１０の動作を統括して制御する。特に、処理部１１は所定のタイミングで、映像機器１０が選択しているチャネル番号を視聴履歴情報として映像機器ファイル１０ａに保存する。送受信部１２は、通信回線８０を介した情報の送受信を制御する。映像機器ファイル１０ａの内容については後述する。
【００２０】
情報端末２０は、処理部２１及び送受信部２２を備えている。処理部２１は、情報端末２０の動作を統括して制御する。特に、処理部２１はコンテンツ配信サーバ４０から送信された情報に基づき映像機器１０に表示されたＴＶ番組関連のコンテンツを取得する。送受信部２２は、通信回線８０を介した情報の送受信を制御する。
【００２１】
情報特定サーバ３０は、視聴履歴部３１、紐付部３２、メタ情報部３３、送受信部３４、視聴履歴ファイル３０ａ、紐付ファイル３０ｂ、メタ情報ファイル３０ｃ、及びコンテンツ対応キーワードファイル３０ｄを有する。視聴履歴部３１は、映像機器１０から送信される映像機器ファイル１０ａに含まれる視聴履歴情報を視聴履歴ファイル３０ａに保存する。紐付部３２は、映像機器１０と情報端末２０との対応付け情報を紐付ファイル３０ｂに保存する。メタ情報部３３は、メタ情報生成サーバ６０から受信したメタ情報やＥＰＧ（Electronic Program Guide：電子番組表）情報から得られるＴＶ番組関連情報と、サービス提供者により設定されたコンテンツ対応キーワードとを比較し、メタ情報やＥＰＧ情報に所望のコンテンツ対応キーワードが含まれるか否か判定する。送受信部３４は、通信回線８０を介した情報の送受信を制御する。なお、視聴履歴ファイル３０ａ、紐付ファイル３０ｂ、メタ情報ファイル３０ｃ、及びコンテンツ対応キーワードファイル３０ｄの内容については後述する。
【００２２】
コンテンツ配信サーバ４０は、コンテンツ部４１、送受信部４２、コンテンツファイル４０ａ、及び登録会員情報ファイル４０ｂを備えている。コンテンツ部４１は、設定端末５０からコンテンツを取得してコンテンツファイル４０ａに保存し、情報特定サーバ３０から提供された情報に基づいて、所定のコンテンツを所定のユーザが所有する情報端末２０などに送信する。送受信部４２は、通信回線８０を介した情報の送受信を制御する。なお、コンテンツファイル４０ａ、及び登録会員情報ファイル４０ｂの内容については後述する。
【００２３】
図２は、第１の実施の形態の番組関連情報配信方法における映像機器ファイル１０ａの内容を示す図である。
【００２４】
映像機器ファイル１０ａは映像機器１０の利用履歴であり、映像機器１０のユーザが操作したチャネル操作やその操作時刻がログとして保存されているものである。
【００２５】
映像機器ファイル１０ａには、「地域情報」、「機器ＩＤ」、「時刻」、「チャネル」が含まれている。「地域情報」は、映像機器１０が設置されている地域（住所）を表す情報である。「機器ＩＤ」は、映像機器１０を識別するための情報である。「チャネル」は、映像機器１０が表示している番組のチャネル番号を含む情報である。「時刻」は、チャネル番号を取得したときの実時間を表している。映像機器ファイル１０ａは、「時刻」及び「チャネル」の１組のデータが複数組記憶できる容量を備えている。映像機器ファイル１０ａは、サイクリックに使用されるため、最新データ書込み位置を表すポインタ（不図示）、処理済データ位置を表すポインタ（不図示）が設けられている。
【００２６】
図３は、第１の実施の形態の番組関連情報配信方法における視聴履歴ファイル３０ａの内容を示す図である。
【００２７】
視聴履歴ファイル３０ａは番組関連情報配信サービスの提供を受ける一または複数のユーザが登録した一または複数の映像機器１０から出力された映像機器ファイル１０ａの情報を統合したものであり、その内容は、「機器ＩＤ」、「地域情報」、「視聴履歴情報」が含まれ、「視聴履歴情報」には複数組の「時刻」及び「チャネル」が含まれている。「地域情報」、「機器ＩＤ」、「時刻」、「チャネル」は、上述の映像機器ファイル１０ａの情報と同じ情報である。
【００２８】
地域情報はチャネル情報が同一であっても、ＴＶ等の映像機器１０が設置されている地域によって放送内容が異なるので、地域情報とチャネル情報とによりユーザが視聴しているＴＶ番組を特定するために用いられるものである。
【００２９】
図４は、第１の実施の形態の番組関連情報配信方法における紐付ファイル３０ｂの内容を示す図である。
【００３０】
紐付ファイル３０ｂはＴＶ番組関連情報配信サービスの提供を受けるユーザが登録した情報配信先のアドレスが記憶されたものであり、その内容は「機器ＩＤ」、「アドレス情報１」、・・・「アドレス情報ｎ」が含まれている。「アドレス情報」は、情報端末２０に設定されたメールアドレス（例えば、E-mail, C-mail, G-mailなど）であり、１台の映像機器１０に複数台の情報端末２０を紐付けることができる。すなわち、１台の映像機器１０に対してスマートフォン、タブレット端末、モバイルＰＣなど、ユーザが所有する機器で用いているアドレス情報を紐付けることが可能であり、これによりユーザがＴＶ番組を視聴している際に情報配信される情報端末２０が種々設定可能であり、番組視聴の際に身近に置いておく情報端末の選択肢が広がることになる。なお、複数の映像機器１０で共通のメールアドレスを利用している場合には、一つのアドレス情報を設定しておけば、いずれの情報端末２０でもＴＶ番組関連情報の配信サービスを受けることができる。
【００３１】
図５は、第１の実施の形態の番組関連情報配信方法におけるメタ情報ファイル３０ｃ、及びコンテンツ対応キーワードファイル３０ｄの内容を示す図である。
【００３２】
図５（１）に示すメタ情報ファイル３０ｃは、「チャネル」、「時刻」、「メタ情報」を含んでいる。「メタ情報」は、「チャネル」の「時刻」で表される時間帯において放送された内容に関連する情報である。この「メタ情報」には、番組に関する情報だけでなく、コマーシャルに関する情報も含まれる。図５（１）に示すメタ情報ファイル３０ｃの例では、４チャネルの９：００〜９：１５の時間帯では、「バラエティ１」、「コーナーＡ」、「出演者Ａ・Ｂ・Ｃ」がメタ情報として記載されている。なお、メタ情報ファイル３０ｃはＥＰＧ等のデータを利用することも可能である。例えば、ＥＰＧのデータを利用した場合には、図５（１）に示したようにある番組のコーナー情報やコマーシャルの提供等の細かい情報は得られないが、ジャンル、番組タイトル、概要、出演者等の情報が含まれており、これらの情報を利用してユーザに所望の情報を提供することが可能である。
【００３３】
図５（２）に示すコンテンツ対応キーワードファイル３０ｄには、サービス提供者が指定する情報に関するキーワードが格納されている。このサービス提供者が指定するキーワード情報は、設定端末５０を用いてサービス提供者がコンテンツ配信サーバに登録したコンテンツファイル（後述）からコンテンツ対応キーワードのみを抽出したものであり、図５（２）に示すコンテンツ対応キーワードファイル３０ｄでは、「ヨーグルト」、「乳飲料」、「ニュース１」、・・・「タブレット」が、それぞれ配信するコンテンツに対応するキーワードとして定義されている。また、「ヨーグルト」、「乳飲料」等のキーワードに代えて、商品等を特定するＪＡＮコードを用いても良い。以下の説明においては、ＪＡＮコードも含め、コンテンツ対応キーワードと言う。
【００３４】
図６は、第１の実施の形態の番組関連情報配信方法におけるコンテンツファイル４０ａの内容を示す図である。
【００３５】
コンテンツファイル４０ａには、「コンテンツ対応キーワード」、「コンテンツ情報」が含まれる。「コンテンツ対応キーワード」は、上述したようにサービス提供者が登録した情報、所謂、キーワードであり、「コンテンツ情報」は、サービス提供者からユーザに配信されるコンテンツを表している。
【００３６】
図７は、第１の実施の形態の番組関連情報配信方法における登録会員情報ファイル４０ｂの内容を示す図である。
【００３７】
登録会員情報ファイル４０ｂには、「会員ＩＤ」、「送信先アドレス」が含まれる。会員ＩＤはＴＶ番組関連情報配信サービスの提供を受けるユーザにユニークに割り当てられた情報であり、その会員ＩＤに紐づけてユーザが登録した情報配信先の一または複数のメールアドレスが記憶されている（図は一つのメールアドレスのみ記載）。この登録会員情報ファイル４０ｂのデータは会員サーバ７０に記憶された情報の一部を利用することで入手することができ、会員サーバ７０への登録は情報配信サービスの提供を希望するユーザが映像機器や情報端末等を利用して別途登録した情報を利用しても良いし、或いは他の会員情報を利用しても良い。すなわち、スーパーなどの小売業が提供する会員サービスが既存サービスとして存在する場合、その既存のサービスに負荷されるサービスの一つとしてＴＶ番組関連情報配信サービスの提供を含め、それを希望する会員の情報をコンテンツ配信サーバの登録会員情報ファイルに記憶しても良い。その場合、会員サーバ７０は当該既存の会員サービス用の会員サーバを用い、その既存の会員サーバからＴＶ番組関連情報配信サービスを希望する会員のデータのみを登録会員情報ファイル４０ｂに保存しても良い。
【００３８】
ここで、機器及び端末の連携システムが機能するためには、上述のように映像機器１０は、データ放送を受信し表示できることが必要である。
【００３９】
テレビ番組の他にデータ放送を利用し提供する形態には様々のものがある。例えば、放送されている番組と連動してデータ放送を行う番組連動データ放送、番組を視聴するユーザが番組内で行われているクイズ等に参加することを可能にする双方向通信、天気予報や株価の表示等の独立データ放送などがある。それらデータ放送はＢＭＬ（Broadcast Markup Language）、ＨＴＭＬ（Hyper Text Markup Language）などによって作成されたデータをデジタルテレビに搭載されたブラウザに表示することで実現されている。
【００４０】
通常、データ放送で表示される内容は、ＢＭＬとスクリプト（ＥＣＭＡＳｃｒｉｐｔ等）によって構成される。スクリプトによって映像機器側で動的な表示内容を作成し、また映像機器から放送局へデータを伝達する機能を持ち、双方向通信を行うことなどが可能である。さらに、データ放送にスクリプトを組み込んでおき、ネットワークに接続したデジタルテレビが受信したスクリプトを実行することで所望の処理を実行することができる。例えば、スクリプトを実行して乱数を生成することも、デジタルテレビにおけるＢ−ＣＡＳ情報等の機器固有の情報を特定することもできる。また、ＨＴＭＬで作成される内容は、一般社団法人ＩＰＴＶフォーラムで仕様が策定されている技術仕様に準拠することで、ＢＭＬと同等の情報を得ることが可能である。
【００４１】
したがって、ネットワークに接続したテレビであれば、スクリプトを用いてテレビなどの機器に関する情報を、ＴＶ番組関連情報配信サービスを提供する事業者のサーバに向けて送信することが可能である。なお、映像機器１０にチャネル操作等からなる視聴履歴情報の送信先サーバを予め指定しておき、所定のタイミングで視聴履歴データを送信するような仕組み(ハードウェア、ソフトウェアを問わない)を映像機器１０が備えていれば、スクリプトを利用しなくても視聴履歴に関するデータをＴＶ番組関連情報配信サービスを提供する事業者のサーバに向けて送信することも可能である。さらに、近年携帯端末で多く利用されているアンドロイド（登録商標）ＯＳを用いて映像機器を構成する場合もあるが、このような映像機器においてはＯＳ特有のアプリケーションが映像機器から視聴履歴を抜出し、それを事業者のサーバに向けて送信することも可能である。
【００４２】
続いて、第１の実施の形態の番組関連情報配信方法における機器及び端末の連携システムの動作について説明する。
【００４３】
[紐付け登録動作]
図８は、第１の実施の形態の番組関連情報配信方法に係る紐付け登録動作における映像機器１０及び情報特定サーバ３０の処理手順を示すフロー図である。
【００４４】
ユーザは、初めてＴＶ番組関連情報配信サービスの利用を希望する映像機器１０に対して紐付け登録操作を実行する。この紐付け登録操作は上記のようにＢＭＬ等で映像機器の表示画面上に所定のデータを表示させ、ユーザが映像機器１０の操作リモコンを操作することで紐付け登録ボタンを表示する。ステップＳ０１において、ユーザは映像機器１０に表示された紐付け登録ボタンを操作する。なお、この紐付け登録ボタンは、映像機器１０で実行されるＢＭＬやＨＴＭＬによらず、映像機器１０の本体や映像機器１０の操作リモコンに予め設けられていても良い。
【００４５】
ステップＳ０２において、映像機器１０はユーザが情報配信を希望する配信先である情報端末２０のアドレス情報の入力を受け付ける。ステップＳ０３において、ユーザがアドレス情報を入力して登録ボタンを操作すると、ステップＳ０４において、映像機器１０の処理部１１は入力されたアドレス情報を取得する。ステップＳ０５において、処理部１１は、映像機器１０の機器ＩＤを取得する。ここで機器ＩＤは、映像機器１０を一意に識別することのできる情報であり、例えば、Ｂ−ＣＡＳカード番号、ＭＡＣアドレス、シリアルＩＤなどを用いることができる。ステップＳ０６において、送受信部１２は、アドレス情報、及び機器ＩＤを情報特定サーバ３０に送信する。
【００４６】
情報特定サーバ３０では、ステップＴ０１において、送受信部３４がアドレス情報、及び機器ＩＤを受信する。ステップＴ０２において、紐付部３２がアドレス情報、及び機器ＩＤを紐付ファイル３０ｂに保存する。即ち、紐付部３２は、機器ＩＤが紐付ファイル３０ｂになければ、送信された機器ＩＤを「機器ＩＤ」欄に新たに記入し、アドレス情報を「アドレス情報」欄に記入する。一方、機器ＩＤが紐付ファイル３０ｂに存在すれば、その機器ＩＤに対応する「アドレス情報」欄に送信されたアドレス情報を追加して記入する。
【００４７】
続いて、ＴＶ番組関連情報配信サービスを可能とするための各種情報収集動作について説明する。
【００４８】
[情報収集動作]
映像機器１０は、上述の紐付登録動作を実行した後、ユーザが視聴するチャネル番号を適宜のタイミングで取得する。ここで、映像機器１０がテレビの場合は、チャネル番号の取得は、（１）映像機器１０の電源がＯＮとなったときから所定時間経過毎に周期的に実行され、更に（２）映像機器１０のチャネルが切り替えられたときに実行される。なお、映像機器１０が映像レコーダの場合も同様であるが、タイマー録画の場合に電源がＯＮになり、録画しているＴＶ番組のチャネル情報を取得し、後述するＴＶ番組関連情報をユーザの情報端末２０に配信しても、当該ユーザはＴＶ番組を視聴していない可能性が高いので、タイマー録画の場合にチャネル番号等、識別可能な情報を情報特定サーバ３０に送信するか否かはユーザ若しくはサービス事業者が設定できるようにしても良い。
【００４９】
図９は、第１の実施の形態の番組関連情報配信方法に係る情報収集動作における映像機器１０の処理手順を示すフロー図である。
【００５０】
ステップＳ１１において、映像機器１０の処理部１１は、電源ＯＮとなったときから所定の時間が経過したかどうかを調べる。まだ、所定の時間が経過していないとき（ステップＳ１１でＮＯ）は、ステップＳ１２において、操作リモコンからの操作信号が入力されたかどうかを調べる。操作信号の入力がない場合（ステップＳ１２でＮＯ）は、ステップＳ１１の処理再開を待機する。
【００５１】
操作信号の入力がある場合（ステップＳ１２でＹＥＳ）は、ステップＳ１３において、処理部１１はリモコン操作に対応した処理を実行する。ステップＳ１４において、リモコンの操作信号がチャネル切り替え操作かどうかを調べる。チャネル切り替え操作でない場合（ステップＳ１４でＮＯ）は、ステップＳ１１の処理再開を待機する。
【００５２】
チャネル切り替え操作の場合（ステップＳ１４でＹＥＳ）、あるいは所定の時間が経過したとき（ステップＳ１１でＹＥＳ）は、ステップＳ１５において、処理部１１は、現在のチャネル番号と時刻情報とを取得する。ここで時刻情報は、映像機器１０の内部に保有されている日時の情報である。そして処理部１１は、取得したチャネル番号と時刻情報とを、それぞれ映像機器ファイル１０ａの最新データ書込み位置ポインタの示す位置の次の位置にある「チャネル」と「時刻」に保存する。そして当該ポインタの値を更新する。これにより、図２に示すような映像機器の操作ログである映像機器ファイル１０ａを得る。
【００５３】
なお、上述の情報収集動作では、「チャネル切り替え操作」、「所定の時間が経過」の２つのタイミングでチャネル番号の取得動作を実行したが、「所定の時間」を非常に大きな値に設定することで、「所定の時間が経過」の条件を採用せず、「チャネル切り替え操作」のみによってチャネル番号の取得動作を実行するように運用することができる。
【００５４】
図１０は、第１の実施の形態の番組関連情報配信方法に係る情報収集動作におけるコンテンツ配信サーバ４０と情報特定サーバ３０の処理手順を示すフロー図である。
【００５５】
ステップＰ０１において、コンテンツ配信サーバ４０の管理者は、設定端末５０からコンテンツ情報とそのコンテンツに対応するコンテンツ対応キーワードとを入力する。ここで、コンテンツは種々の形式をとることができる。例えば、コンテンツとして映像（静止画、動画）データ、テキストデータ、ＰＤＬ（Page Description Language）ファイル、ＵＲＬ（Uniform Resource Locator）などを含めることができる。
【００５６】
ステップＰ０２において、コンテンツ配信サーバ４０のコンテンツ部４１は、設定端末５０から入力されたコンテンツ対応キーワードとコンテンツ情報とを、それぞれコンテンツファイル４０ａの「コンテンツ対応キーワード」欄と「コンテンツ情報」欄とに対応付けて格納する。
【００５７】
図６に示すコンテンツファイル４０ａの内容を説明すると、例えば、「コンテンツ対応キーワード」が「ヨーグルト」あるいは「乳飲料」である場合、コンテンツは、乳飲料等の製品サイトＵＲＬ、割引クーポン（画像）が対応している。このキーワードがメタ情報に含まれるＴＶ番組を視聴しているユーザの情報端末２０に対し、製品サイトＵＲＬや割引クーポン等のコンテンツが送られ、ユーザが情報端末２０で製品サイトＵＲＬにアクセスすると、その「ヨーグルト」あるいは「乳飲料」に関連した商品についての説明が提供される。また、割引クーポン画像を所定の商店で提示すると所定の商品の価格が割引される。
【００５８】
ステップＰ０３において、コンテンツ配信サーバ４０の送受信部４２は、入力されたコンテンツ対応キーワードを情報特定サーバ３０に送信する。
【００５９】
ステップＴ２１において、情報特定サーバ３０の送受信部３４は、コンテンツ配信サーバ４０からコンテンツ対応キーワードを受信する。ステップＴ２２において、メタ情報部３３は、受信したコンテンツ対応キーワードをコンテンツ対応キーワードファイル３０ｄに書き込む。
【００６０】
次に、ＴＶ番組関連情報配信サービスにおけるコンテンツ配信動作について説明する。
【００６１】
[コンテンツ配信動作]
図１１は、第１の実施の形態の番組関連情報配信方法に係るコンテンツ配信動作における映像機器１０と情報特定サーバ３０との処理手順を示すフロー図である。
【００６２】
ステップＳ２１において、映像機器１０の処理部１１は、所定時間が経過したかどうかを監視する。所定時間が経過していない場合（Ｓ２１でＮＯ）は、ステップＳ２１に戻って所定時間経過を待機する。
【００６３】
所定時間が経過した場合（Ｓ２１でＹＥＳ）は、ステップＳ２２において、処理部１１は、最新データ書込み位置を表すポインタ、及び処理済データ位置を表すポインタを参照して映像機器ファイル１０ａを検索し、未送信の視聴履歴情報（「時刻」及び「チャネル」）を抽出する。そして、送受信部１２が「機器ＩＤ」、「地域情報」、及び抽出した視聴履歴情報（時刻、チャネル）を情報特定サーバ３０に送信する。そして、ステップＳ２１に戻って所定時間経過を待機する。
【００６４】
ステップＴ３１において、情報特定サーバ３０の視聴履歴部３１は、送信された機器ＩＤが視聴履歴ファイル３０ａに登録済みか否かを調べる。登録済みの場合（Ｔ３１でＹＥＳ）は、ステップＴ３２において、視聴履歴部３１は登録された機器ＩＤの「地域情報」、「視聴履歴情報（時刻、チャネル）」を更新する。そして、ステップＴ３５において、メタ情報部３３を起動する。
【００６５】
未登録の場合（Ｔ３１でＮＯ）は、ステップＴ３３において、視聴履歴部３１は紐付ファイル３０ｂを検索し送信された機器ＩＤが記録されているかどうかを調べる。機器ＩＤが記録されていない場合（Ｔ３３でＮＯ）は処理を終了する。機器ＩＤが紐付ファイル３０ｂに記録されている場合（Ｔ３３でＹＥＳ）は、ステップＴ３４において、視聴履歴部３１は視聴履歴ファイル３０ａに新たに「機器ＩＤ」を登録し、その「機器ＩＤ」について、「地域情報」、「視聴履歴情報（時刻、チャネル）」を記録する。そして、ステップＴ３５において、メタ情報部３３を起動する。
【００６６】
図１２は、第１の実施の形態の番組関連情報配信方法に係るコンテンツ配信動作におけるメタ情報部３３の処理手順を示すフロー図である。
【００６７】
視聴履歴部３１によって起動されたメタ情報部３３は、ステップＴ４１において、視聴履歴ファイル３０ａから更新された機器ＩＤ、視聴履歴情報（時刻、チャネル）を抽出する。ステップＴ４２において、メタ情報部３３は、メタ情報ファイル３０ｃを検索して、抽出した視聴履歴情報（時刻、チャネル）に対応づけられたメタ情報を抽出する。
【００６８】
ステップＴ４３において、抽出したメタ情報からコンテンツ対応キーワードファイル３０ｄに記憶されているコンテンツ対応キーワードを特定することを試みる。例えば、メタ情報とコンテンツ対応キーワードとの文言、概念が一致すること、あるいは類似することを判断することで特定することができる。この特定のために予め作成した辞書を用いても良く、アルゴリズムを用いて文言の一致度・類似度を算出して判断しても良い。
【００６９】
ステップＴ４４において、コンテンツ対応キーワードが特定できたかどうかを判断する。特定できなかったとき（Ｔ４４でＮＯ）は、対応するコンテンツがないため処理を終了する。特定できたとき（Ｔ４４でＹＥＳ）は、ステップＴ４５において、送受信部３４は、特定したコンテンツ対応キーワード、アドレス情報をコンテンツ配信サーバ４０に送信する。ここで、アドレス情報は、紐付ファイル３０ｂの「機器ＩＤ」に対応するアドレス情報である。
【００７０】
図１３は、第１の実施の形態の番組関連情報配信方法に係るコンテンツ配信動作におけるコンテンツ配信サーバ４０の処理手順を示すフロー図である。
【００７１】
ステップＰ１１において、コンテンツ配信サーバ４０のコンテンツ部４１は、受信したコンテンツ対応キーワードに基づいてコンテンツファイル４０ａを検索し、対応するコンテンツを抽出する。ステップＰ１２において、コンテンツ部４１は受信したアドレス情報が登録会員情報ファイル４０ｂに含まれるか否かを判定し、含まれる場合にはステップＰ１３において、送受信部４２は、抽出したコンテンツを受信したアドレス情報のメールアドレスに送信する。これによって、ユーザの情報端末２０には、メールを介してコンテンツが配信される。
【００７２】
一方、情報特定サーバ３０から受信したアドレス情報が登録会員情報ファイルにない場合には、コンテンツ配信を行わずに終了する。
【００７３】
以上、説明した第１の実施の形態の番組関連情報配信方法によれば、番組の視聴中において情報端末の操作を行わなくても番組関連情報を得ることができるため、番組を視聴しながら情報端末を常に気にする必要が無い。
【００７４】
なお、上記説明においては、映像機器１０を介して情報端末２０のアドレス情報を設定する例を挙げて説明したが、例えばスーパーなどの小売業が提供する会員サービスと併用する場合には情報端末２０のアドレス情報を設定せずに本発明を実施することも可能である。すなわち、会員サーバ７０に情報端末２０のアドレス情報を含むユーザ情報（会員情報）が登録されている場合、映像機器１０の機器ＩＤと会員ＩＤ等の会員情報を情報特定サーバ３０の紐付けファイル３０ｂに保存し、またコンテンツ配信サーバ４０の登録会員情報ファイル４０ｂに会員サーバ７０に登録されている会員ＩＤ等の会員情報及びアドレス情報を保存しておくことで、アドレス情報に代えて会員ＩＤ等の情報で当該会員が利用する情報端末２０に所望の番組関連情報を配信することが可能である。したがって、アドレス情報、会員ＩＤなど、サービス受給者を特定する情報を利用することが可能である。また、以下に説明する第２及び第３の実施の形態においても同様である。
【００７５】
更に、映像機器が映像レコーダの場合には、録画を再生した際に録画データに含まれる録画日時、チャネル情報を情報特定サーバ３０に送信し、情報特定サーバ３０でユーザが視聴している録画データに関するメタ情報をメタ情報生成サーバより取得するか、或いはメタ情報ファイル３０ｃに保存されているメタ情報を利用し、上述した実施の形態と同様に録画されたＴＶ番組に関連する番組関連情報を提供することも可能である。
【００７６】
なおさらに、上記説明においては、映像機器１０が抽出した視聴履歴情報（時刻、チャネル）を情報特定サーバ３０に送信する例を挙げて説明したが、情報特定サーバ３０が一定期間毎に映像機器１０にアクセスし、映像機器１０の視聴履歴情報を入手するようにしても良い。
【００７７】
[第２の実施の形態]
第２の実施の形態では、コンテンツの提供者が、コンテンツの配信を限定できるようにしている点で第１の実施の形態と異なっている。第１の実施の形態と同一または同様の部位には同一の符号を付してその詳細の説明は省略する。
【００７８】
例えば、新製品が市場に出される際、その新製品を広く知らしめるために大量のコマーシャルが、期間限定、地域限定で投入されることが行われている。第２の実施の形態ではこのようなコマーシャル活動と連携した番組関連情報配信方法を提供する。
【００７９】
図１４は、第２の実施の形態の番組関連情報配信方法におけるコンテンツファイル４０ａとコンテンツ対応キーワードファイル３０ｄの内容を示す図である。
【００８０】
図１４（１）に示すコンテンツファイル４０ａには、「コンテンツ対応キーワード」、「指定地域」、「コンテンツ情報」が含まれる。「コンテンツ対応キーワード」は、前述した図６に示したコンテンツファイルに記載のコンテンツ対応キーワードとして、例えば新製品などを直接的に表現する単語である。「ヨーグルト」、「テレビ」、「胃腸薬」などが例示されている。「指定地域」は、コンテンツを配信する地域を示している。「東京」、「関東」、「大阪」などと指定できるほか、地域指定を行わない指定（「−」）が可能であり、地域指定を行わないキーワードは図６に示したコンテンツファイルと同様となる。「コンテンツ情報」は、配信されるコンテンツを表している。
【００８１】
図１４（２）に示すコンテンツ対応キーワードファイル３０ｄには、「コンテンツ対応キーワード」、「関連キーワード」、「指定地域」が含まれる。「コンテンツ対応キーワード」、「指定地域」は、上述のコンテンツファイル４０ａと同じ内容である。「関連キーワード」は、「キーワード」と強く関連した単語である。例えば、「キーワード」と同一の用語、「キーワード」を含む用語、「キーワード」の上位概念あるいは下位概念の用語などが該当する。例えば、キーワード「ヨーグルト」に対して、関連キーワード「健康食品」、「ヨーグルト」、「美容」などが記憶されている。
【００８２】
続いて、第２の実施の形態の番組関連情報配信方法における機器及び端末の連携システムの動作について説明する。
【００８３】
[ファイル設定動作]  
図１５は、第２の実施の形態の番組関連情報配信方法における情報特定サーバ３０とコンテンツ配信サーバ４０の処理手順を示すフロー図である。
【００８４】
ステップＰ２１において、コンテンツ配信サーバ４０の管理者は、設定端末５０からコンテンツ情報とそのコンテンツに対応するコンテンツ対応キーワードとを入力する。次に、ステップＰ２２において、コンテンツを配信する地域（「指定地域」）を入力する。ここで、「指定地域」は名称を入力しても良く、郵便番号を入力しても良く、特別に規定された地域コードを入力しても良く、あるいは指定地域を省略しても良い。
【００８５】
ステップＰ２３において、コンテンツ配信サーバ４０のコンテンツ部４１は、設定端末５０から入力されたコンテンツ情報、コンテンツ対応キーワード、指定地域を、それぞれコンテンツファイル４０ａの「コンテンツ情報」欄、「コンテンツ対応キーワード」欄、「指定地域」欄に対応付けて格納する。ステップＰ２４において、送受信部４２は、コンテンツ対応キーワード、指定地域を情報特定サーバ３０に送信する。
【００８６】
ステップＴ５１において、情報特定サーバ３０の送受信部３４は、コンテンツ配信サーバ４０からコンテンツ対応キーワード、指定地域を受信する。ステップＴ５２において、メタ情報部３３は、受信したコンテンツ対応キーワード、指定地域をそれぞれコンテンツ対応キーワードファイル３０ｄの「コンテンツ対応キーワード」欄、「指定地域」欄に対応付けて格納する。
【００８７】
ステップＴ５３において、メタ情報部３３は、受信したコンテンツ対応キーワードに基づいて複数の関連キーワードを生成する。上述のように、生成される関連キーワードは、コンテンツ対応キーワードと強く関連した単語である。例えば、「コンテンツ対応キーワード」と同一の用語、「コンテンツ対応キーワード」を含む用語、「コンテンツ対応キーワード」の上位概念あるいは下位概念の用語などが該当する。この生成のために予め作成した辞書を用いても良く、所定のアルゴリズムを用いて辞書を検索しても良い。ステップＴ５３において、メタ情報部３３は、生成した関連キーワードをコンテンツ対応キーワードファイル３０ｄの「関連キーワード」欄に対応付けて格納する。なお、関連キーワードはメタ情報部３３で生成せず、管理者が直接入力するよう構成しても良い。
【００８８】
[コンテンツ配信動作]
映像機器１０は、ユーザが視聴するチャネル番号を適宜のタイミングで取得し、更に所定タイミングにおいて視聴履歴情報を情報特定サーバ３０に送信する。情報特定サーバ３０では、映像機器１０から送信された視聴履歴情報を視聴履歴ファイル３０ａに格納してメタ情報部３３を起動する。この一連の動作は、図９、図１１を参照して説明しているため、再度の説明は省略する。
【００８９】
図１６は、第２の実施の形態の番組関連情報配信方法に係るコンテンツ配信動作におけるメタ情報部３３の処理手順を示すフロー図である。
【００９０】
視聴履歴部３１によって起動されたメタ情報部３３は、ステップＴ６１において、視聴履歴ファイル３０ａから更新された機器ＩＤ、視聴履歴情報（時刻、チャネル）を抽出する。ステップＴ６２において、メタ情報部３３は、メタ情報ファイル３０ｃを検索して、抽出した視聴履歴情報（時刻、チャネル）に対応づけられたメタ情報を抽出する。
【００９１】
ステップＴ６３において、抽出したメタ情報にコンテンツ対応キーワードファイル３０ｄの「関連キーワード」が含まれるかどうかを調べる。ステップＴ６４において、抽出したメタ情報がコンテンツ対応キーワードファイル３０ｄにあったかどうかを判断する。なかったとき（Ｔ６４でＮＯ）は、配信するコンテンツがないため処理を終了する。あったとき（Ｔ６４でＹＥＳ）は、ステップＴ６５において、映像機器１０は指定地域内にあるかどうかを調べる。即ち、コンテンツ対応キーワードファイル３０ｄの「指定地域」が視聴履歴ファイル３０ａの「地域情報」に含まれるかどうかを調べる。含まれなかったとき（Ｔ６５でＮＯ）は、配信を行なわないため処理を終了する。
【００９２】
ステップＴ６６において、送受信部３４は、コンテンツ対応キーワード、アドレス情報をコンテンツ配信サーバ４０に送信する。ここで、アドレス情報は、紐付ファイル３０ｂの「機器ＩＤ」に対応するアドレス情報である。
【００９３】
コンテンツ配信動作におけるコンテンツ配信サーバ４０の処理手順は図１３に示したものと同じであるため、その説明を省略する。
【００９４】
以上、説明した第２の実施の形態の番組関連情報配信方法によれば、コンテンツを限定して配信することができる。
【００９５】
[第３の実施の形態]  
第３の実施の形態では、情報端末２０のユーザが、コンテンツの配信を限定できるように構成している点で第１の実施の形態と異なっている。第１の実施の形態と同一または同様の部位には同一の符号を付してその詳細の説明は省略する。
【００９６】
図１７は、第３の実施の形態の番組関連情報配信方法における登録会員情報ファイル４０ｂの内容を示す図である。
【００９７】
登録会員情報ファイル４０ｂには、「会員ＩＤ」、「送信先アドレス」に加え、「キーワード」、「関連キーワード」が含まれる。「会員ＩＤ」は、ユーザを識別するための情報である。「キーワード」は、ユーザが配信を希望する情報を表す単語である。「関連キーワード」は、「キーワード」と強く関連した単語である。例えば、「キーワード」と同一の用語、「キーワード」を含む用語、「キーワード」の上位概念あるいは下位概念の用語などが該当する。例えば、キーワード「健康食品」に対して、関連キーワード「低カロリ」、「サプリメント」、「健康食品」などが記憶されている。また、キーワード「健康器具」に対して、「フィットネスクラブ」、「健康器具」などが記憶されている。この関連キーワードは上記の実施の形態のように情報特定サーバ３０にキーワードを送信し、そのキーワードに対応する関連キーワードをメタ情報部３３にて生成し、その結果をコンテンツ配信サーバ４０に返信しても良いし、或いはコンテンツ配信サーバ４０にその機能を持たせても良いし、さらに、ユーザである会員がキーワードを指定する際に、関連キーワード生成プログラム等を用いて生成しても良い。なおさらに、管理者が入力しても良い。
【００９８】
続いて、第３の実施の形態の番組関連情報配信方法における機器及び端末の連携システムの動作について説明する。
【００９９】
[キーワード設定動作]
図１８は、第３の実施の形態の番組関連情報配信方法における情報端末２０とコンテンツ配信サーバ４０の処理手順を示すフロー図である。
【０１００】
ユーザは、情報端末２０において所定のアプリを起動して、配信されるコンテンツを希望する内容に限定する設定を行う。ステップＱ０１において、情報端末２０の処理部２１は、ユーザが設定した、希望する内容を表すキーワードを取得する。送受信部２２は、ユーザの会員ＩＤと取得したキーワードとを会員サーバ７０に送信する。
【０１０１】
ステップＰ４１において、コンテンツ配信サーバ４０の送受信部４２は、会員サーバ７０からユーザの会員ＩＤ、キーワードを受信する。ステップＰ４２において、コンテンツ部４１は受信したユーザの会員ＩＤ、キーワードを登録会員情報ファイル４０ｂの該当するエリアに格納する。なお、送信先アドレス等の情報は会員登録時に設定しておいても良いし、情報端末２０のアプリを用いて配信情報の限定を行う手続きの際に入力しても良い。
【０１０２】
ステップＰ４３において、キーワードに基づいて複数の関連キーワードを生成する。関連キーワードの生成は上述した通りである。ステップＰ４４において、生成した関連キーワードを登録会員情報ファイル４０ｂの該当するエリアに格納する。
【０１０３】
[コンテンツ配信動作]
映像機器１０は、ユーザが視聴するチャネル番号を適宜のタイミングで取得し、更に所定タイミングにおいて視聴履歴情報を情報特定サーバ３０に送信する。情報特定サーバ３０では、メタ情報部３３が送信された視聴履歴情報に基づいてメタ情報を抽出する。抽出したメタ情報に関連キーワードが含まれると判断されたときは、その関連キーワード、アドレス情報をコンテンツ配信サーバ４０に送信する。また、関連キーワード及びアドレス情報を受信したコンテンツ配信サーバ４０はアドレス情報と関連キーワード対応した所定のコンテンツ情報をユーザである会員に送信する。この一連の動作は、図９、図１１、図１２、図１３を参照して説明しているため、再度の説明は省略する。
【０１０４】
以上、説明した第３の実施の形態の番組関連情報配信方法によれば、ユーザが希望するコンテンツに限定して配信することができる。
【０１０５】
なお、上述の各実施の形態に係る発明は、技術課題を解決することができる効果を奏するに留まらず、ひろく活用されることによって、より顕著な効果を奏することが可能である。
【０１０６】
現在、ＴＶは国民生活に浸透しており、ＴＶが視聴者（消費者）に与える影響は大きい。しかし、視聴者一人一人がどのような内容のＴＶ番組を視聴していたかについての情報は十分には得られていないと考えられる。そのため、視聴者一人一人がどのような内容のＴＶ番組を視聴していたかについての情報を得ることができれば、現在、不特定多数を対象として発信している情報に代えて、視聴者個人のニーズに対応する情報を発信することが可能となる。
【０１０７】
ところで、現在ではスマートフォンなどの携帯情報端末が広く普及している。そして、これらの携帯情報端末は個人に紐付けられていると把握することができる。従って、ＴＶと携帯情報端末とを紐付けて運用することによって、上述の視聴者個人のニーズを把握するとともに、そのニーズに対応する情報を発信することが可能となる。
【０１０８】
一方、これまでのＴＶにおける双方向通信では、放送波を介して情報のやりとりが行われている。そのため、個人の視聴情報は当該放送局に集約されることになる。本願で開示した方式によれば、ＴＶ自体が視聴情報を通信手段を用いて送信するように構成しているため、任意の時刻において全てのチャネルの視聴情報を収集することができ、個々人の視聴情報を効率的にかつ有効に取得することが可能となる。従って、本方式を採用することによって上述の「ＴＶと個人との紐付」を実現することが可能となる。
【０１０９】
更に上述の実施の形態では映像機器の情報にリンクした他の情報を情報端末に提供する、所謂、セカンドスクリーンサービスを利用する場合を例に挙げて説明したが、映像機器と情報端末との連携としては、視聴率の収集に情報端末での操作を利用したり、視聴履歴から推測される嗜好を用いた広告配信を情報端末に提供したり、或いは視聴状況に応じて特定の番組やジャンルに関するソーシャルネットワークサービスを情報端末に提供したりする場合に利用することができる。
【０１１０】
なお、上述の実施の形態では、情報特定サーバ３０とコンテンツ配信サーバ４０とを設けているが、本願発明はこの形態に限定されず、上記２台のサーバの機能を１台のサーバとして統合して構成しても良く、また上述した各機能を適宜組み合わせた複数台のサーバとして構成しても良い。
【０１１１】
上述のいくつかの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１２】
なお、上述の実施の形態で説明した各機能は、ハードウェアを用いて構成しても良く、また、ソフトウェアを用いて各機能を記載したプログラムをコンピュータに読み込ませて実現しても良い。また、各機能は、適宜ソフトウェア、ハードウェアのいずれかを選択して構成するものであっても良い。
【０１１３】
上記実施形態に開示されている複数の構成要素の適宜な組み合せにより種々の発明を形成できる。例えば、実施形態に示される全構成要素から幾つかの構成要素を削除しても良い。更に、異なる実施形態に亘る構成要素を適宜組み合せても良い。
【符号の説明】
【０１１４】
１０…映像機器、１０ａ…映像機器ファイル、１１…処理部、１２…送受信部、２０…情報端末、２１…処理部、２２…送受信部、３０…情報特定サーバ、３０ａ…視聴履歴ファイル、３０ｂ…紐付ファイル、３０ｃ…メタ情報ファイル、３０ｄ…コンテンツ対応キーワードファイル、３１…視聴履歴部、３２…紐付部、３３…メタ情報部、３４…送受信部、４０…コンテンツ配信サーバ、４０ａ…コンテンツファイル、４０ｂ…登録会員情報ファイル、４１…コンテンツ部、４２…送受信部、５０…設定端末、６０…メタ情報生成サーバ、７０…会員サーバ、８０…通信回線。
【図１】
0006583712.tif 000002
【図２】
0006583712.tif 000003
【図３】
0006583712.tif 000004
【図４】
0006583712.tif 000005
【図５】
0006583712.tif 000006
【図６】
0006583712.tif 000007
【図７】
0006583712.tif 000008
【図８】
0006583712.tif 000009
【図９】
0006583712.tif 000010
【図１０】
0006583712.tif 000011
【図１１】
0006583712.tif 000012
【図１２】
0006583712.tif 000013
【図１３】
0006583712.tif 000014
【図１４】
0006583712.tif 000015
【図１５】
0006583712.tif 000016
【図１６】
0006583712.tif 000017
【図１７】
0006583712.tif 000018
【図１８】
0006583712.tif 000019